(57)【特許請求の範囲】
【請求項１】
記録トラックが形成されている記録ディスクから記録情報の読み取りを行う情報読取手段と前記記録ディスクとの間に生じている傾きを検出するティルト検出装置であって、
互いに隣接する３本の記録トラックの内の中央の記録トラックのディスク内周側に隣接する第１隣接記録トラックから読み取られた第１読取信号と誤差値との相関により第１フィルタ係数を求める第１フィルタ係数演算手段と、前記第１読取信号に対して前記第１フィルタ係数に基づくフィルタリング処理を施すことにより前記第１隣接記録トラックからのクロストークを示す第１クロストーク信号を生成する第１フィルタと、前記中央の記録トラックのディスク外周側に隣接する第２隣接記録トラックから読み取られた第２読取信号と前記誤差値との相関により第２フィルタ係数を求める第２フィルタ係数演算手段と、前記第２読取信号に対して前記第２フィルタ係数に基づくフィルタリング処理を施すことにより前記第２隣接記録トラックからのクロストークを示す第２クロストーク信号を生成する第２フィルタと、前記中央の記録トラックから読み取られたメイン読取信号から前記第１クロストーク信号及び第２クロストーク信号を減算することによりクロストーク除去読取信号を生成する減算手段と、前記クロストーク除去読取信号と所定値との誤差を検出しこれを前記誤差値として得る誤差検出手段と、からなるクロストーク除去手段と、
前記第１フィルタ係数と前記第２フィルタ係数との差に基づき前記記録ディスクの表面に対する前記情報読取手段のディスク半径方向における傾きを求める手段と、を有することを特徴とするティルト検出装置。
【請求項２】
記録トラックが形成されている記録ディスクに読取ビームを照射した際の反射光を光電変換して読取信号を得る情報読取手段と前記記録ディスクとの間に生じている傾きを検出するティルト検出装置であって、
互いに隣接する３本の記録トラックの内の中央の記録トラックに対する前記情報読取手段による読取位置を基準とし、前記中央の記録トラックのディスク内周側に隣接する第１隣接記録トラック上での前記読取位置よりも読取方向において前後に所定距離だけ離れた位置各々から読み取られた第１読取信号と誤差値との相関により第１フィルタ係数を求める第１フィルタ係数演算手段と、前記第１読取信号に対して前記第１フィルタ係数に基づくフィルタリング処理を施すことにより前記第１隣接記録トラックからのクロストークを示す第１クロストーク信号を生成する第１フィルタと、前記中央の記録トラックのディスク外周側に隣接する第２隣接記録トラック上での前記読取位置よりも読取方向において前後に前記所定距離だけ離れた位置各々から読み取られた第２読取信号と前記誤差値との相関により第２フィルタ係数を求める第２フィルタ係数演算手段と、前記第２読取信号に対して前記第２フィルタ係数に基づくフィルタリング処理を施すことにより前記第２隣接記録トラックからのクロストークを示す第２クロストーク信号を生成する第２フィルタと、前記メイン読取信号から前記第１クロストーク信号及び第２クロストーク信号を減算することによりクロストーク除去読取信号を生成する減算手段と、前記クロストーク除去読取信号と所定値との誤差を検出しこれを前記誤差値として得る誤差検出手段と、からなるクロストーク除去手段と、
前記第１フィルタ係数と前記第２フィルタ係数との差に基づき前記記録ディスクの表面に対する前記情報読取手段のディスク半径方向における傾きを求める手段と、を有することを特徴とするティルト検出装置。
【請求項３】
前記所定距離は、
{(0.65・λ／NA)２-Tp２}１／２ ＜ 前記所定距離 ＜ {(λ／NA)２-Tp２}１／２
λ：前記読取ビームの波長
NA：前記読取手段の対物レンズの開口数
Tp：記録トラック間のピッチ
であることを特徴とする請求項２記載のティルト検出装置。
【請求項４】
前記所定距離だけ離れた位置とは、前記記録ディスク及び前記情報読取手段間に傾きが生じている際に前記第１隣接記録トラック及び前記第２隣接記録トラックのいずれか一方に照射されるサイドローブの位置であることを特徴とする請求項２記載のティルト検出装置。
【発明の詳細な説明】
【０００１】
【発明の属する技術分野】
本発明は、記録媒体としての記録ディスクから記録情報の読み取りを行う情報読取手段とこの記録ディスクとの間に生じている傾きを検出するティルト検出装置に関する。
【０００２】
【従来の技術】
光学式記録媒体としての記録ディスクから記録情報を正確に読み取る為には、この記録ディスクの記録面に対して垂直に読取ビームを照射する必要がある。しかしながら、記録ディスク自体に反りが生じていると、この記録ディスクの記録面に対して垂直に読取ビームを照射することが出来なくなり、情報読取精度が低下してしまう。
【０００３】
そこで、かかる記録ディスクから記録情報の再生を行う記録情報再生装置においては、情報読取手段としてのピックアップと記録ディスクとの間に生じている傾きを検出すべく、ティルトセンサが設けられている。この際、かかるティルトセンサによって検出された傾きに応じた分だけピックアップ全体を傾けたり、あるいは、このピックアップによって読み取られた読取信号に対してこの傾きに応じた所望の信号処理を施すことにより、情報読取精度の低下を抑えるのである。
【０００４】
図１は、上記の如き記録ディスクとピックアップとの間に生じている傾きを検出するティルトセンサ４を記録情報再生装置に設置した際の概略構成を示す図である。
図１において、ティルトセンサ４におけるビーム発生器４１は、スピンドルモータ２によって回転駆動される記録ディスク３の記録面上の互いに異なる２カ所の位置に照射されるような発散光を照射する。光検出器４２は、かかる発散光が記録ディスク３の記録面に照射された際の反射光の一部を受光して、この受光量に応じたレベルを有する第１検出信号を減算器４４に供給する。一方、光検出器４３は、ビーム発生器４１を中心にして光検出器４２と対象となる位置に配置される。光検出器４３は、上記発散光が記録ディスク３の記録面に照射された際の反射光の一部を受光して、この受光量に応じたレベルを有する第２検出信号を減算器４４に供給する。減算器４４は、これら第１検出信号及び第２検出信号のレベル差を求めこれをティルトエラー信号として出力する。尚、上記ビーム発生器４１、光検出器４２及び４３各々は、図示せぬピックアップと同一平行面に設置されているものとする。
【０００５】
ここで、上記記録ディスク３の記録面とピックアップとの平行関係が保たれていると、光検出器４２及び４３各々が受光する反射光量は同一となるので、ティルトエラー信号は"０"となる。一方、記録ディスク３に反り等が生じていると、光検出器４２及び４３各々が受光する反射光量は互いに異なったものとなり、この反射光量の差に応じたティルトエラー信号が出力されるのである。
【０００６】
しかしながら、このようなティルトセンサ４を記録情報再生装置内に搭載すると装置規模が大になるという問題が発生し、更に、その取り付けの際に、ティルトセンサ４をピックアップとの平行関係を保つ位置に正確に設置しなければならないので設置精度が要求されるという問題があった。
【０００７】
【発明が解決しようとする課題】
本発明は、かかる問題を解決すべくなされたものであり、記録ディスクとピックアップとの間に生じている傾きを小規模な構成にて、かつ精度良く検出することが出来るティルト検出装置を提供することを目的とする。
【０００８】
【課題を解決するための手段】
請求項１記載によるティルト検出装置は、記録トラックが形成されている記録ディスクから記録情報の読み取りを行う情報読取手段と前記記録ディスクとの間に生じている傾きを検出するティルト検出装置であって、互いに隣接する３本の記録トラックの内の中央の記録トラックのディスク内周側に隣接する第１隣接記録トラックから読み取られた第１読取信号と誤差値との相関により第１フィルタ係数を求める第１フィルタ係数演算手段と、前記第１読取信号に対して前記第１フィルタ係数に基づくフィルタリング処理を施すことにより前記第１隣接記録トラックからのクロストークを示す第１クロストーク信号を生成する第１フィルタと、前記中央の記録トラックのディスク外周側に隣接する第２隣接記録トラックから読み取られた第２読取信号と前記誤差値との相関により第２フィルタ係数を求める第２フィルタ係数演算手段と、前記第２読取信号に対して前記第２フィルタ係数に基づくフィルタリング処理を施すことにより前記第２隣接記録トラックからのクロストークを示す第２クロストーク信号を生成する第２フィルタと、前記中央の記録トラックから読み取られたメイン読取信号から前記第１クロストーク信号及び第２クロストーク信号を減算することによりクロストーク除去読取信号を生成する減算手段と、前記クロストーク除去読取信号と所定値との誤差を検出しこれを前記誤差値として得る誤差検出手段と、からなるクロストーク除去手段と、前記第１フィルタ係数と前記第２フィルタ係数との差に基づき前記記録ディスクの表面に対する前記情報読取手段のディスク半径方向における傾きを求める手段と、を有する。
又、請求項２記載によるティルト検出装置は、記録トラックが形成されている記録ディスクに読取ビームを照射した際の反射光を光電変換して読取信号を得る情報読取手段と前記記録ディスクとの間に生じている傾きを検出するティルト検出装置であって、互いに隣接する３本の記録トラックの内の中央の記録トラックに対する前記情報読取手段による読取位置を基準とし、前記中央の記録トラックのディスク内周側に隣接する第１隣接記録トラック上での前記読取位置よりも読取方向において前後に所定距離だけ離れた位置各々から読み取られた第１読取信号と誤差値との相関により第１フィルタ係数を求める第１フィルタ係数演算手段と、前記第１読取信号に対して前記第１フィルタ係数に基づくフィルタリング処理を施すことにより前記第１隣接記録トラックからのクロストークを示す第１クロストーク信号を生成する第１フィルタと、前記中央の記録トラックのディスク外周側に隣接する第２隣接記録トラック上での前記読取位置よりも読取方向において前後に前記所定距離だけ離れた位置各々から読み取られた第２読取信号と前記誤差値との相関により第２フィルタ係数を求める第２フィルタ係数演算手段と、前記第２読取信号に対して前記第２フィルタ係数に基づくフィルタリング処理を施すことにより前記第２隣接記録トラックからのクロストークを示す第２クロストーク信号を生成する第２フィルタと、前記メイン読取信号から前記第１クロストーク信号及び第２クロストーク信号を減算することによりクロストーク除去読取信号を生成する減算手段と、前記クロストーク除去読取信号と所定値との誤差を検出しこれを前記誤差値として得る誤差検出手段と、からなるクロストーク除去手段と、前記第１フィルタ係数と前記第２フィルタ係数との差に基づき前記記録ディスクの表面に対する前記情報読取手段のディスク半径方向における傾きを求める手段と、を有する。
【０００９】
【発明の実施の形態】
以下、本発明の実施例について説明する。
図２は、本発明によるティルト検出装置を備えた記録情報再生装置の構成を示す図である。
図２において、情報読取手段としてのピックアップ１００に搭載されているレーザ発振器１０３から発せられたレーザビームは、グレーティング１０４を介して３本の情報読取ビームに分割される。これら３本の情報読取ビームは、ハーフミラー１０５及び対物レンズ１０６を介して記録ディスク３に照射される。尚、これら３本の情報読取ビーム各々は、記録ディスク３の記録面上において互いに隣接する３本の記録トラックに夫々照射される。
【００１０】
図３は、上記３本の情報読取ビームにより記録ディスク３の記録面に生じる各ビームスポットを示す図である。
図３に示されるように、中央のビームスポットＰＢがトラックＴに形成されている場合には、その隣接トラック（Ｔ＋１）にビームスポットＰＡが形成される。更に、トラックＴの隣接トラック（Ｔ−１）にはビームスポットＰＣが形成される。
【００１１】
これらビームスポットＰＡ、ＰＢ及びＰＣ各々からの反射光は、対物レンズ１０６及びハーフミラー１０５を介して光検出器１０７に照射される。光検出器１０７は、夫々独立した光検出器１０７ａ〜１０７ｃからなる。
光検出器１０７ａは、上記ハーフミラー１０５を介して供給されたビームスポットＰＡからの反射光を光電変換して得られた読取信号をＡ／Ｄ変換器５ａに供給する。光検出器１０７ｂは、上記ハーフミラー１０５を介して供給されたビームスポットＰＢからの反射光を光電変換して得られた読取信号をＡ／Ｄ変換器５ｂに供給する。光検出器１０７ｃは、上記ハーフミラー１０５を介して供給されたビームスポットＰＣからの反射光を光電変換して得られた読取信号をＡ／Ｄ変換器５ｃに供給する。
【００１２】
尚、図３に示されるように、ビームスポットＰＡ及びＰＢはその読取方向において距離Ｌだけ離れており、又、ビームスポットＰＢ及びＰＣ間も上記距離Ｌだけ離れているものとする。
Ａ／Ｄ変換器５ａ〜５ｃ各々は、上記光検出器１０７ａ〜１０７ｃ各々から供給された読取信号を夫々順次サンプリングして読取サンプル値系列ＳＡ〜ＳＣ各々を得る。
【００１３】
遅延回路７は、読取サンプル値系列ＳＢを（Ｌ／Ｖ）時間だけ遅延させた遅延読取サンプル値系列ＳＢ’をクロストーク除去回路４０に供給する。遅延回路８は、読取サンプル値系列ＳＣを2・(Ｌ／Ｖ)時間だけ遅延させた遅延読取サンプル値系列ＳＣ’をクロストーク除去回路４０に供給する。この際、Ａ／Ｄ変換器５ａから出力された上記読取サンプル値系列ＳＡは直接、上記クロストーク除去回路４０に供給される。
【００１４】
尚、上記"Ｌ"は、図３に示されるが如きビームスポットＰＢ及びＰＣ（ＰＡ）間の距離であり、"Ｖ"は、記録ディスク３に対するピックアップ１００の読取線速度である。
すなわち、図３に示されるように、読取サンプル値系列ＳＡにおける１読取サンプル値が記録トラック（Ｔ＋１）上における位置Ｑ1から読み取られたものである場合には、遅延読取サンプル値系列ＳＢ’における１読取サンプル値は、記録トラックＴ上における位置Ｑ2から読み取られたものである。又、この際、遅延読取サンプル値系列ＳＣ’における１読取サンプル値は、記録トラック（Ｔ−１）上における位置Ｑ3から読み取られたものである。これら位置Ｑ1〜Ｑ3各々は、図３に示されるように、記録ディスク３上の同一の半径ライン上に存在するものである。
【００１５】
このように、クロストーク除去回路４０には、互いに隣接する３つの記録トラック各々の同一半径ライン上に存在する位置各々から読み取られた３系統の読取サンプル値系列（ＳＡ、ＳＢ’、ＳＣ’）が供給されることになるのである。
クロストーク除去回路４０は、上記読取サンプル値系列ＳＡ及び遅延読取サンプル値系列及ＳＣ’に基づいて、遅延読取サンプル値系列ＳＢ’に重畳している隣接トラック｛記録トラック（Ｔ＋１）及び（Ｔ−１）｝各々からのクロストーク成分を除去したクロストーク除去読取サンプル値系列Ｐを得る。２値判定回路９は、このクロストーク除去読取サンプル値系列Ｐに基づいて２値の再生データを求めて出力する。
【００１６】
図４は、上記クロストーク除去回路４０の内部構成を示す図である。
図４に示されるクロストーク除去回路４０は、記録ディスク３上において互いに隣接している３つの記録トラック（Ｔ＋１）、Ｔ、及び（Ｔ−１）各々から読み取られた各読取サンプル値系列に対し、例えばＬＭＳ（least mean square）アルゴリズムの如き適応アルゴリズムに基づく適応信号処理を施すことにより、クロストークの除去された読取サンプル値系列Ｐを得るものである。
【００１７】
図４において、フィルタ係数演算回路４０１は、上記読取サンプル値系列ＳＡ、及び後述する誤差検出回路４００から供給された誤差値ｅに基づいてフィルタ係数Ｃ1を求める。係数乗算器４１１は、読取サンプル値系列ＳＡにおける各読取サンプル値に上記フィルタ係数Ｃ1を乗算して得られた乗算結果をクロストークＣＲ１とし、これを加算器４３０に供給する。遅延回路４２１は、上記読取サンプル値系列ＳＡを所定時間ｔ（後述する）だけ遅延させて、これを遅延読取サンプル値系列ＳＡd1としてフィルタ係数演算回路４０２、係数乗算器４１２、及び遅延回路４２２に供給する。
【００１８】
フィルタ係数演算回路４０２は、上記遅延読取サンプル値系列ＳＡd1及び誤差検出回路４００から供給された誤差値ｅに基づいてフィルタ係数Ｃ2を求める。係数乗算器４１２は、遅延読取サンプル値系列ＳＡd1における各読取サンプル値に上記フィルタ係数Ｃ2を乗算して得られた乗算結果をクロストークＣＲ２とし、これを加算器４３０に供給する。遅延回路４２２は、上記遅延読取サンプル値系列ＳＡd1を更に上記所定時間ｔだけ遅延させたものを遅延読取サンプル値系列ＳＡd2としてフィルタ係数演算回路４０３及び係数乗算器４１３に供給する。
【００１９】
フィルタ係数演算回路４０３は、上記遅延読取サンプル値系列ＳＡd2及び誤差検出回路４００から供給された誤差値ｅに基づいてフィルタ係数Ｃ3を求める。係数乗算器４１３は、遅延読取サンプル値系列ＳＡd2における各読取サンプル値にかかるフィルタ係数Ｃ3を乗算して得られた乗算結果をクロストークＣＲ３とし、これを加算器４３０に供給する。加算器４３０は、上記クロストークＣＲ１〜ＣＲ３各々を加算したものを、上記図３に示されるが如き記録トラック（Ｔ＋１）から記録トラックＴへの総クロストークＣＲ(T+1)として、これを減算器４８０に供給する。
【００２０】
フィルタ係数演算回路４０４は、上記遅延読取サンプル値系列ＳＣ’、及び誤差検出回路４００から供給された上記誤差値ｅに基づいてフィルタ係数Ｃ4を求める。係数乗算器４５４は、遅延読取サンプル値系列ＳＣ’における各読取サンプル値にかかるフィルタ係数Ｃ4を乗算して得られた乗算結果をクロストークＣＲ４とし、これを加算器４７０に供給する。遅延回路４６１は、上記遅延読取サンプル値系列ＳＣ’を上記所定時間ｔだけ遅延させて、これを遅延読取サンプル値系列ＳＣd1としてフィルタ係数演算回路４０５、係数乗算器４５５、及び遅延回路４６２に供給する。
【００２１】
フィルタ係数演算回路４０５は、上記遅延読取サンプル値系列ＳＣd1及び上記誤差検出回路４００から供給された誤差値ｅに基づいてフィルタ係数Ｃ5を求める。係数乗算器４５５は、上記遅延読取サンプル値系列ＳＣd1における各読取サンプル値にかかるフィルタ係数Ｃ5を乗算して得られた乗算結果をクロストークＣＲ５とし、これを加算器４７０に供給する。遅延回路４６２は、上記遅延読取サンプル値系列ＳＣd1を更に上記所定時間ｔだけ遅延させたものを遅延読取サンプル値系列ＳＣd2としてフィルタ係数演算回路４０６及び係数乗算器４５６に供給する。
【００２２】
フィルタ係数演算回路４０６は、上記遅延読取サンプル値系列ＳＣd2及び上記誤差検出回路４００から供給された誤差値ｅに基づいてフィルタ係数Ｃ6を求める。係数乗算器４５６は、上記遅延読取サンプル値系列ＳＣd2における各読取サンプル値にかかるフィルタ係数Ｃ6を乗算して得られた乗算結果をクロストークＣＲ６とし、これを加算器４７０に供給する。加算器４７０は、上記クロストークＣＲ４〜ＣＲ６各々を加算したものを上記図３に示されるが如き記録トラック（Ｔ−１）から記録トラックＴへの総クロストークＣＲ(T-1)とし、これを減算器４８０に供給する。遅延回路４９０は、上記遅延読取サンプル値系列ＳＢ’を更に上記所定時間ｔだけ遅延させたものを遅延読取サンプル値系列ＳＢd1とし、これを上記減算器４８０に供給する。
【００２３】
減算器４８０は、かかる遅延読取サンプル値系列ＳＢd1から、上記総クロストークＣＲ(T+1)及び総クロストークＣＲ(T-1)各々を減算したものをクロストーク除去読取サンプル値系列Ｐとして出力する。
誤差検出回路４００は、クロストーク除去読取サンプル値系列Ｐにおける各読取サンプル値と、これら読取サンプル値各々として取り得る理想サンプル値各々との誤差を検出し、これを上記誤差値ｅとして上記フィルタ係数演算回路４０１〜４０６各々に供給する。例えば、誤差検出回路４００は、上記クロストーク除去読取サンプル値系列Ｐ中における連続した３つの読取サンプル値列において、その値が正から負、又は負から正へと推移した際の中央のサンプル、すなわちゼロクロスサンプルを抽出し、これが実際の"０"値に対して有する誤差を上記誤差値ｅとするのである。この際、フィルタ係数演算回路４０１〜４０６の各々は、かかる誤差値ｅが"０"に収束して行くように、各フィルタ係数Ｃ1〜Ｃ6各々を更新して行く。
【００２４】
尚、上記フィルタ係数演算回路４０１〜４０６の各々は同一の内部構成を有するものであり、これを図５に示す。
図５において、相関演算回路Ｍは、上記読取サンプル値系列（ＳＡ、ＳＡd1、ＳＡd2、ＳＣ’、ＳＣd1、ＳＣd2）と上記誤差値ｅとの相関を求め、その相関値を積分器ＩＮに供する。相関演算回路Ｍは、例えば、読取サンプル値系列と誤差値ｅとの乗算により両者の相関に対応した相関値を得るのである。積分器ＩＮは、かかる相関値を積分してその積分結果をフィルタ係数Ｃとして出力する。例えば、図４におけるフィルタ係数演算回路４０１は、読取サンプル値系列ＳＡと上記誤差値ｅとの相関を求め、この相関に対応した相関値を積分して平均化したものをフィルタ係数Ｃ1として出力するのである。
【００２５】
ここで、図２のティルトエラー算出回路５０は、例えば図７（ａ）に示されるような加算器ＡＤ１、ＡＤ２、及び減算器ＳＵＢから構成され、クロストーク除去回路４０内において生成されれた上記フィルタ係数Ｃ1、Ｃ3、Ｃ4及びＣ6を用いた以下の演算を実行することによりティルトエラー信号ＴERRを求める。
【００２６】
【数２】
ＴERR＝（Ｃ1＋Ｃ3）−（Ｃ4＋Ｃ6）
又は、
【００２７】
【数３】
ＴERR＝（Ｃ4＋Ｃ6）−（Ｃ1＋Ｃ3）
すなわち、読取対象となっている記録トラックの内周側に隣接する記録トラック（Ｔ＋１）からのクロストークを除去すべく生成されたフィルタ係数(Ｃ1、Ｃ3)と、外周側に隣接する記録トラック（Ｔ−１）からのクロストークを除去すべく生成されたフィルタ係数(Ｃ4、Ｃ6)との大小バランスに基づき、ピックアップ１００及び記録ディスク３間の傾きに対応したティルトエラー信号ＴERRを得るのである。
【００２８】
以上の如く、本発明によるティルトエラー検出装置は、クロストーク除去回路４０及びティルトエラー算出回路５０から構成される。
ここで、かかるティルトエラー検出装置の動作を説明するにあたり、先ず、クロストーク除去回路４０の動作について、図６（ａ）〜図６（ｃ）を参照しつつ説明する。
【００２９】
先ず、図６（ａ）は、ピックアップ１００と記録ディスク３の記録面との間にティルトが生じていない場合に、ピックアップ１００からの情報読取ビームを記録トラックＴ上の位置Ａ1に照射した際に形成されるビームスポットＰＢの形態を示す図である。
図６（ａ）に示されるように、ピックアップ１００と記録ディスク３の記録面との間にティルトが生じていない場合には、記録トラックＴ上の位置Ａ1を中心にしてほぼ真円のビームスポットＰＢが形成される。
【００３０】
一方、ピックアップ１００と記録ディスク３の記録面との間に図６（ｂ）に示されるが如きティルトが生じていると、かかる図６（ｂ）に示されるようにビームスポットＰＢはディスク内周側に延びた形態となる。この際、ビームスポットＰＢは、記録トラックＴのディスク内周側に隣接する記録トラック（Ｔ＋１）上の一部、例えば、記録トラックＴ上の位置Ａ1の真横の位置Ａ6を照射することになる。更に、この記録トラックＴよりもディスク外周側には、サイドローブＰＳが形成される。この際、かかるサイドローブＰＳは、記録トラックＴのディスク外周側に隣接する記録トラック（Ｔ−１）上における、上記位置Ａ1よりも読取方向において前後に以下に示す距離Ｌtだけ離れた位置Ａ2及びＡ3を照射することになる。
【００３１】
【数４】
{(0.65*λ／NA)2-Tp2}1/2 ＜ Ｌt ＜ {(λ／NA)2-Tp2}1/2
λ：読取ビームの波長
NA：対物レンズ１０６の開口数
Tp：記録トラック間のピッチ
従って、ピックアップ１００と記録ディスク３の記録面との間に上記図６（ｂ）に示されるが如きティルトが生じている場合に、ピックアップ１００が記録トラックＴ上の位置Ａ1から記録情報の読み取りを行った際に得られた読取サンプル値系列ＳＢ中には、
ディスク内周側に隣接している記録トラック（Ｔ＋１）上の位置Ａ6
ディスク外周側に隣接している記録トラック（Ｔ−１）上の位置Ａ2及びＡ3
各々からのクロストークが重畳することになるのである。
【００３２】
一方、ピックアップ１００と記録ディスク３の記録面との間に、図６（ｃ）に示されるが如きティルトが生じている場合には、かかる図６（ｃ）に示されるようにビームスポットＰＢはディスク外周側に延びた形態となる。この際、かかるビームスポットＰＢは、記録トラックＴのディスク外周側に隣接する記録トラック（Ｔ−１）上の一部、例えば、記録トラックＴ上の位置Ａ1の真横の位置Ａ7を照射することになる。更に、この記録トラックＴよりもディスク内周側には、サイドローブＰＳが形成される。この際、かかるサイドローブＰＳは、記録トラックＴのディスク内周側に隣接する記録トラック（Ｔ＋１）上における、上記位置Ａ1よりも読取方向において前後に以下に示す距離Ｌtだけ離れた位置Ａ4及びＡ5を照射することになる。
【００３３】
【数５】
{(0.65*λ／NA)2-Tp2}1/2 ＜ Ｌt ＜ {(λ／NA)2-Tp2}1/2
λ：読取ビームの波長
NA：対物レンズ１０６の開口数
Tp：記録トラック間のピッチ
従って、ピックアップ１００と記録ディスク３の記録面との間に上記図６（ｃ）に示されるが如きティルトが生じている場合に、ピックアップ１００が記録トラックＴ上の位置Ａ1から記録情報の読み取りを行った際に得られた読取サンプル値系列ＳＢ中には、
ディスク外周側に隣接している記録トラック（Ｔ−１）上の位置Ａ7、
ディスク内周側に隣接している記録トラック（Ｔ＋１）上の位置Ａ4及びＡ5
各々からのクロストークが重畳することになるのである。
【００３４】
このように、ピックアップ１００及び記録ディスク３間にティルトがあると、記録トラックＴ上の位置Ａ1から読み取られた読取信号中には、かかる記録トラックＴに隣接している記録トラック（Ｔ＋１）又は（Ｔ−１）上における上記位置Ａ1から読取方向に前後Ｌtだけ離れた位置（Ａ4及びＡ5、又はＡ2及びＡ3）からのクロストークが重畳されるのである。
【００３５】
そこで、図４に示されるクロストーク除去回路４０においては、先ず、上記図６に示されている記録トラック（Ｔ＋１）上における位置Ａ5、Ａ6、及びＡ4各々からのクロストーク成分、並びに記録トラック（Ｔ−１）上における位置Ａ3、Ａ7、及びＡ2各々からのクロストーク成分を求める。ここで、これらクロストーク成分各々を、記録トラックＴ上における位置Ａ1から読み取られた読取サンプル値から減算することにより、クロストークの除去された読取サンプル値系列を得るのである。
【００３６】
このように、隣接記録トラック（Ｔ＋１）からのクロストーク成分と、隣接記録トラック（Ｔ−１）からのクロストーク成分との大小バランスは、そのまま図６に示されるが如きピックアップ１００と記録ディスク３の記録面との間に生じているティルトに対応している。
従って、記録トラック（Ｔ＋１）からのクロストーク成分を除去すべく生成された上記フィルタ係数Ｃ1及びＣ3と、記録トラック（Ｔ−１）からのクロストーク成分を除去すべく生成された上記フィルタ係数Ｃ4及びＣ6との大小バランスによっても、図６に示されるが如きティルト状態を検知することが出来るのである。
【００３７】
尚、図７（ａ）に示される演算では、フィルタ係数Ｃ1及びＣ3を夫々加算した値と、フィルタ係数Ｃ4及びＣ6を夫々加算した値との差分をティルトエラーとしているが、上記フィルタ係数Ｃ1とＣ4との差分、又はフィルタ係数Ｃ3とＣ6との差分によりティルトエラーを求めるようにしても良い。
例えば、ティルトエラー算出回路５０の内部構成を図７（ｂ）に示されるが如きものとし、記録トラック（Ｔ＋１）からのクロストーク成分を除去すべく生成された上記フィルタ係数Ｃ1と、記録トラック（Ｔ−１）からのクロストーク成分を除去すべく生成された上記フィルタ係数Ｃ4との差分、すなわち、
【００３８】
【数６】
ＴERR＝Ｃ1−Ｃ4
又は、
【００３９】
【数７】
ＴERR＝Ｃ4−Ｃ1
なる演算にてティルトエラー信号ＴERRを求めるのである。
又、ティルトエラー算出回路５０の内部構成を図７（ｃ）に示されるが如きものとして、記録トラック（Ｔ＋１）からのクロストーク成分を除去すべく生成されたフィルタ係数Ｃ3と、記録トラック（Ｔ−１）からのクロストーク成分を除去すべく生成されたフィルタ係数Ｃ6との差分、すなわち、
【００４０】
【数８】
ＴERR＝Ｃ3−Ｃ6
又は、
【００４１】
【数９】
ＴERR＝Ｃ6−Ｃ3
なる演算によってティルトエラー信号ＴERRを求めるのである。
更に、上記フィルタ係数Ｃ1とＣ6との差分、又はフィルタ係数Ｃ3とＣ4との差分によりティルトエラーを求めるようにしても良い。
【００４２】
例えば、ティルトエラー算出回路５０の内部構成を図８（ａ）に示されるが如きものとし、記録トラック（Ｔ＋１）からのクロストーク成分を除去すべく生成された上記フィルタ係数Ｃ1と、記録トラック（Ｔ−１）からのクロストーク成分を除去すべく生成された上記フィルタ係数Ｃ6との差分、すなわち、
【００４３】
【数１０】
ＴERR＝Ｃ1−Ｃ6
又は、
【００４４】
【数１１】
ＴERR＝Ｃ6−Ｃ1
なる演算にてティルトエラー信号ＴERRを求めるのである。
又、ティルトエラー算出回路５０の内部構成を図８（ｂ）に示されるが如きものとし、記録トラック（Ｔ＋１）からのクロストーク成分を除去すべく生成された上記フィルタ係数Ｃ3と、記録トラック（Ｔ−１）からのクロストーク成分を除去すべく生成された上記フィルタ係数Ｃ4との差分、すなわち、
【００４５】
【数１２】
ＴERR＝Ｃ3−Ｃ4
又は、
【００４６】
【数１３】
ＴERR＝Ｃ4−Ｃ3
なる演算にてティルトエラー信号ＴERRを求めるのである。
要するに、読取対象となっている記録トラックから読み取られた読取信号に生じている誤差値とディスク内周側に隣接する記録トラックから読み取られた読取信号との相関により求めた第１フィルタ係数（Ｃ1、Ｃ3）と、上記誤差値とディスク外周側に隣接する記録トラックから読み取られた読取信号との相関により求めた第２フィルタ係数（Ｃ4、Ｃ6）との大小バランスによってティルトエラーを求めるような構成であれば良いのである。
【００４７】
よって、かかる構成によれば、記録情報再生装置内にティルトセンサ等を設置せずとも精度良くティルト検出を行うことが可能となるのである。
【図面の簡単な説明】
【図１】ティルトセンサ４を備えた記録情報再生装置の構成の一例を示す図である。
【図２】本発明によるティルト検出装置を備えた記録情報再生装置の構成を示す図である。
【図３】ビームスポットＰＡ〜ＰＣと、記録ディスク３上の各記録トラックとの位置関係を示す図である。
【図４】クロストーク除去回路４０の内部構成を示す図である。
【図５】フィルタ係数演算回路４０１〜４０６各々の内部構成の一例を示す図である。
【図６】ビームスポットと中央の記録トラック及び隣接する記録トラックとの位置関係を説明する為の図である。
【図７】ティルトエラー算出回路５０の内部構成の一例を示す図である。
【図８】ティルトエラー算出回路５０の内部構成の一例を示す図である。
【主要部分の符号の説明】
３  記録ディスク
４０  クロストーク除去回路
５０  ティルトエラー算出回路
１００  ピックアップ
４０１〜４０６  フィルタ係数演算回路
【図１】
0003882969.tif 000002
【図２】
0003882969.tif 000003
【図３】
0003882969.tif 000004
【図４】
0003882969.tif 000005
【図５】
0003882969.tif 000006
【図６】
0003882969.tif 000007
【図７】
0003882969.tif 000008
【図８】
0003882969.tif 000009